(57)【要約】【課題】従来のシロッコファン清掃器は、清掃するときに、シロッコファンを取り外さなければならなかったり、ケーシングの横側から清掃ブラシを入れなければならなかった。しかし一般的な家庭用エアコンは、シロッコファンを外すのは困難であり、横側から清掃ブラシを入れることもできない。さらに、羽根の数が多く、確実で効率的な清掃が難しい。【解決手段】細い棒状本体の先端に清掃ブラシと羽根送り部を設けて、エアコンの外側正面からシロッコファンを確実で効率的に清掃できるようにした。【選択図】図２
2012166136.tif 000002
【特許請求の範囲】
【請求項１】
清掃ブラシ及び羽根送り部を有し、シロッコファンの羽根を順次に清掃することを特徴とするシロッコファン清掃器。
【請求項２】
清掃ブラシ、羽根送り部、動力部及び電源を有し、シロッコファンの羽根を順次に清掃することを特徴とするシロッコファン清掃器。
【請求項３】
清掃ブラシ、羽根送り部、動力部、電源及び制御部を有し、シロッコファンの羽根を順次に清掃することを特徴とするシロッコファン清掃器。
【発明の詳細な説明】
【技術分野】
【０００１】
本発明は、エアコンのシロッコファンの清掃器に関する。
【背景技術】
【０００２】
従来のシロッコファン清掃器には、特許文献１や特許文献２に示されているものがある。従来のシロッコファン清掃器には次の問題がある。エアコン本体からシロッコファン清掃器を外して清掃しなければならなかったり、シロッコファンの外側のケーシングの横側から清掃具を入れて清掃しなければならなかった。一般的な家庭用エアコンでは、シロッコファンの取り外しが容易ではないし、ケーシングの横側から清掃具を入れられる構造になっていない。
【０００３】
本発明は、かかる事情に鑑み、エアコンの正面外側からシロッコファンの羽根を清掃でき、さらに、羽の位置を簡単に順次移動させて効率的な清掃ができるシロッコファン清掃器を提供することを目的とする。
【先行技術文献】
【特許文献】
【０００４】
【特許文献１】特開平０８−１３６０２２
【０００５】
【特許文献２】実開平０６−６９３９１
【発明の概要】
【発明が解決しようとする課題】
【０００６】
一般的な家庭用エアコンでは、シロッコファンを清掃のために取り外すのは困難である。また、エアコンの横側には清掃用の穴は開いていない。さらに、羽の数が多く、清掃に手間がかかる。
【０００７】
解決しようとする問題点は、エアコンからシロッコファンを外さずに、エアコンの外側正面から清掃できるようにすることと、数多い羽根を効率よく清掃できるようにすることである。
【課題を解決するための手段】
【０００８】
本発明は、清掃ブラシと羽根送り部とを並べた構成にして、羽根を順次移動できるようにした。
【発明の効果】
【０００９】
本発明のシロッコファン清掃器は、エアコンからシロッコファンを取り外す必要がなく、エアコン外側正面から清掃できるので清掃が容易になる。
【００１０】
さらに、清掃ブラシが羽根と羽根の間に入るので確実な清掃ができる。
【００１１】
さらに、羽根送り部によって、羽根の位置が順次簡単に変えられるので効率的な清掃ができる。
【図面の簡単な説明】
【００１２】
【図１】本発明の請求項１の実施形態を示す説明図
【図２】本発明の請求項２の実施形態を示す説明図
【図３】本発明の請求項３の実施形態を示す説明図
【発明を実施するための形態】
【００１３】
本発明の実施形態を図面に基づき説明する。図１は請求項１の発明であるシロッコファン清掃器の実施例の説明図である。本体１の先端に清掃ブラシ２と羽根送り部３が付けられている。清掃ブラシ２及び羽根送り部３の先端は、羽根と羽根の隙間に入りやすいように先細でとがっている。羽根送り部３は、弾力性のある素材で、細長い形状をしている。羽根送り部３は、清掃ブラシ２と平行に付いている。羽根送り部３と清掃ブラシ２の間隔は、羽根と羽根の隙間に清掃ブラシ２を挿入した時に羽根送り部３が次の隙間に挿入される間隔である。羽根送り部３の長さは、清掃ブラシ２を羽根の隙間から引き出した時に、羽根送り部３が次の隙間に入っている長さである。
【００１４】
つぎに、図１の実施例の使い方を説明する。まず、本体１を手に持ち、羽根送り部３を上にして清掃ブラシ２を羽根の隙間に挿入する。羽根送り部３は、清掃ブラシ２が挿入された隙間の次の上の隙間に挿入される。清掃ブラシ２を左右に動かすことで隙間の上下が清掃される。つぎに、清掃ブラシ２を手前に引き出し、羽根から離れる状態で、本体１を左右どちらかに約９０度ひねると、上の隙間が羽根送り部３に押されて下がり、清掃ブラシ２と横並びになる。その状態で清掃ブラシ２を押し込めば、簡単に新しい隙間に清掃ブラシ２が挿入される。つぎに、本体１を逆方向に約９０度ひねると、弾力性のある羽根送り部３は、清掃ブラシ２がストッパーになるので、羽根を戻すことなく上の隙間に戻される。以上の動作を繰り返し、シロッコファンが３６０度回転したら清掃ブラシ２を横移動してまた前の動作を繰り返すことでシロッコファンの羽根すべてを確実に、かつ効率的に清掃することができる。
【００１５】
図２は、請求項２の発明であるシロッコファン清掃器の実施例の説明図である。図２に基づいて請求項２の発明の実施形態を説明する。本体１ａの先端に清掃ブラシ２ａと羽根送り部３ａが付いている。清掃ブラシ２ａ及び羽根送り部３ａの先端は、羽根と羽根の隙間に入りやすいように先細でとがっている。羽根送り部３ａは、弾力性のある素材で、細長い形状をしている。羽根送り部３ａは、清掃ブラシ２ａと平行に付いている。羽根送り部３ａと清掃ブラシ２ａの間隔は、羽根と羽根の隙間に清掃部ブラシ２ａを挿入した時に羽根送り部３ａが次の隙間に挿入される間隔である。羽根送り部３ａの長さは、清掃ブラシ２ａを羽根の隙間から引き出した時に、羽根送り部３ａが次の隙間に入っている長さである。清掃ブラシ２ａは、モーター５とシャフト４によって結ばれ、電源６からの電力で回転する。
【００１６】
次に図２の実施例の使い方を説明する。まず、本体１を手に持ち、羽根送り部３ａを上にして清掃ブラシ２ａを羽根の隙間に挿入する。羽根送り部３ａは、清掃ブラシ２ａが挿
入された隙間の次の上の隙間に挿入される。つぎに、電源スイッチを入れると、モーター
５が回転する。清掃ブラシ２ａを左右に動かすことで隙間の上下の羽根が清掃される。つぎに、清掃ブラシ２ａを手前に引き出し、羽根から離れる状態で、本体１ａを左右どちらかに約９０度ひねると、上の隙間が羽根送り部３ａに押されて下がり、清掃ブラシ２ａと横並びになる。その状態で清掃ブラシ２ａを押し込めば、簡単に新しい隙間に清掃ブラシ２ａが挿入される。つぎに、本体１ａを逆方向に約９０度ひねると、弾力性のある羽根送り部３ａは、清掃ブラシ２ａがストッパーになるので、羽根を戻すことなく上の隙間に戻される。以上の動作を繰り返し、シロッコファンが３６０度回転したら清掃ブラシ２ａを横移動してまた前の動作を繰り返すことでシロッコファンの羽根すべてを確実に、かつ効率的に清掃することができる。
【００１７】
図３は、請求項３の発明であるシロッコファン清掃器の実施例の説明図である。図３の実施例を図３に基づいて説明する。図３のシロッコファン清掃器は、清掃ブラシ２ｂ、羽根送り部３ｂ、モーター７，８，９，１０、制御部１５、電源１６、移動用バー１７で構成される。清掃ブラシ２ｂは、モーター７によって回転するが、振動モーターを使って振動させてもよい。モ−ター７は、台座１４に固定されている。台座１４は、モーター８が回転すると送りネジ１８が回転して上下に動く。本体１ｂの先端に清掃ブラシ２ｂと羽根送り部３ｂが付けられている。清掃ブラシ２ｂ及び羽根送り部３ｂの先端は、羽根と羽根の隙間に入りやすいように先細でとがっている。羽根送り部３ｂは、弾力性のある素材で、細長い形状をしている。羽根送り部３ｂは、清掃ブラシ２ｂと平行に付いている。羽根送り部３ｂと清掃ブラシ２ｂの間隔は、羽根と羽根の隙間に清掃部ブラシ２ｂを挿入した時に羽根送り部３ｂが次の隙間に挿入される間隔である。羽根送り部３ｂの長さは、清掃ブラシ２ｂを羽根の隙間から引き出した時に、羽根送り部３ｂが次の隙間に入っている長さである。羽根送り取り付け部１１は、モーター９が回転するとローラー１２によって回転する。本体１ｂは、移動用バー１７に取り付けられて、モーター１０とローラー１３によって左右に移動する。清掃をしない時は、本体１ｂがシロッコファンにあたらない位置まで離れるよう移動用バー１７がセットされている。図３の実施例はエアコン製造時に製品の一部として組み込まれるのが望ましい。シロッコファンは、羽根を補強するための仕切り板が複数あり、仕切り板によって複数のパートに分かれている。
【００１８】
つぎに、図３の実施例の動作を説明する。まず、清掃開始前に、仕切り板によって仕切られた右端のパートの中間に本体１ｂをセットする。移動用バー１７をシロッコファンに近付けて清掃位置にする。制御部１５は次のような制御をする。スタートスイッチが入ると、ブラシ用モーター７が回転する。つぎに、ブラシ上下用モーター８が設定された数だけ回転して、清掃ブラシ２ｂが羽根の隙間に入る。つぎに、移動用モーター１０が設定された数だけ回転して、パートの長さの半分の距離だけ本体１ｂが右に移動して停止する。つぎに、移動用モーター１０が設定された数だけ回転して、パートの長さの距離だけ本体１ｂが左に移動して停止する。つぎに、移動用モーター１０が設定された数だけ回転して、パートの長さの半分の距離だけ本体１ｂが右に移動して停止する。つぎに、ブラシ上下用モーター８が設定された数だけ回転して、清掃ブラシ２ｂが羽根の隙間から引き出される。つぎに、羽根送り用モーター９が設定数回転して、羽根送り取り付け部１１が約９０度回転して、隙間を一つ下に移動させる。つぎに、ブラシ上下用モーター８が設定された数だけ回転して、清掃ブラシ２ｂが羽根の隙間に入る。つぎに、羽根送り用モーター９が設定数回転して、羽根送り取り付け部１１が約９０度逆回転して停止する。弾力性のある羽根送り部３ｂは、清掃ブラシ２ｂがストッパーになるので、羽根を戻すことなく上の隙間に戻される。以上の動作を、シロッコファンの周上にある隙間の数だけ繰り返したら、移動用モーター１０が設定された数だけ回転して、パートの長さの距離だけ本体１ｂが左に移動して停止する。以上の動作を設定した回数繰り返すことで、全てのパートの清掃が完了する。つぎに、モーター７を停止して、移動用モーター１０が設定数回転して、本体１ｂは、右に移動して最初の位置で停止する。スイッチを切って、移動用バー１７を元の位置に戻す。
【符号の説明】
【００１９】
１  本体
１ａ  本体
１ｂ  本体
２  清掃ブラシ
２ａ  清掃ブラシ
２ｂ  清掃ブラシ
３  羽根送り部
３ａ  羽根送り部
３ｂ  羽根送り部
４  シャフト
５  ブラシ用モーター
６  電源
７  ブラシ用モーター
８  ブラシ上下用モーター
９  羽根送り用モーター
１０  移動用モーター
１１  羽根送り取り付け部
１２  ローラー
１３  ローラー
１４  台座
１５  制御部
１６  電源
１７  移動用バー
１８  送りネジ
【図１】
2012166136.tif 000003
【図２】
2012166136.tif 000004
【図３】
2012166136.tif 000005